(57)【特許請求の範囲】
【請求項１】
印字用テープの幅方向に印字素子が配列され、印字用テープの幅に応じた所定の有効印字幅を有する印字ヘッドを用いて、該有効印字幅より大きい幅の印字用テープに対して２次元コードを印字する印字モードを備えた印字装置であって、
印字用テープの幅を検出する幅検出手段と、
印字した印字物を貼着する対象物が第１の対象物であるか、あるいはこの第１の対象物よりも高濃度の第２の対象物であるかをユーザが指定可能な指定手段と、
前記指定手段によって前記第１の対象物が指定された場合、テープ幅方向に対応する印字すべき２次元コードのシンボルの領域幅が前記有効印字幅以下となる条件に基づいて、２次元コードのシンボルの大きさを前記幅検出手段により検出された幅内に印字可能な最も記録容量の大きな種類に設定し、前記指定手段によって前記第２の対象物が指定された場合、テープ幅方向に対応する印字すべき２次元コードのシンボルの領域幅が前記有効印字幅以下で、且つそのシンボルの領域幅方向の両側のそれぞれに所定のマージンを加えた領域幅が前記有効印字幅を超え且つ前記印字用テープの幅以下となる条件に基づいて、２次元コードのシンボルの大きさを前記幅検出手段により検出された幅内に印字可能な最も記録容量の大きな種類に設定する２次元コード設定手段と、
前記指定手段によって前記第１の対象物が指定された場合、その場合に対応する前記２次元コード設定手段の設定に従って所与の入力データに基づいて、テープ幅方向に前記マージンを付加しない２次元コードのシンボルのパターンデータを生成し、前記指定手段によって前記第２の対象物が指定された場合、その場合に対応する前記２次元コード設定手段の設定に従って所与の入力データに基づいて前記テープ幅方向に前記マージンを付加して２次元コードのシンボルのパターンデータを生成するデータ生成手段と、
前記データ生成手段によって生成された前記パターンデータを前記印字用テープに印字する印字制御手段と、
を備えたことを特徴とする印字装置。
【発明の詳細な説明】
【技術分野】
【０００１】
本発明は、２次元コードのシンボルを印字する印字装置に関する。
【背景技術】
【０００２】
ＱＲコードと呼ばれる２次元コードが広く用いられており、従来、２次元コードのシンボルをシート上に印字する印字装置が提案されている（下記の特許文献１）。この２次元コードのシンボルをシート上に印字出力する場合には、そのシンボルの読取が可能なように、シンボルの周囲に所定の幅のマージンを付与して印字を行っている。
【特許文献１】特開２００３−１５４７７４号公報
【発明の開示】
【発明が解決しようとする課題】
【０００３】
２次元コードを印字する場合には、暗セル又は明セルのセルをマトリクス状に並べて構成するシンボルの周囲に所定幅のマージンを設定するものであり、このシンボル及びその周囲のマージンを含めたパターンデータを生成してこれを印字している。しかし、印字用テープに２次元コードのシンボルを印字してラベルを作成するような場合には、印字用テープの幅と、その印字用テープのテープ幅方向に対応する印字ヘッドの有効印字幅がそれぞれ所定のサイズに決められているため、その印字用テープに単に２次元コードのシンボルを印字してもテープ幅内に収まるように印字はされるものの、必ずしも印字した２次元コードのシンボルに多くの情報量を記録することはできないという問題がある。
【０００４】
本発明の課題は、上記問題に鑑み、幅スペースが限られている印字用テープ上により多くの情報を記録できる２次元コードのシンボルを印字することができるようにすることにある。
【課題を解決するための手段】
【０００８】
請求項１の発明は、印字用テープの幅方向に印字素子が配列され、印字用テープの幅に応じた所定の有効印字幅を有する印字ヘッドを用いて、該有効印字幅より大きい幅の印字用テープに対して２次元コードを印字する印字モードを備えた印字装置であって、印字用テープの幅を検出する幅検出手段と、印字した印字物を貼着する対象物が第１の対象物であるか、あるいはこの第１の対象物よりも高濃度の第２の対象物であるかをユーザが指定可能な指定手段と、前記指定手段によって前記第１の対象物が指定された場合、テープ幅方向に対応する印字すべき２次元コードのシンボルの領域幅が前記有効印字幅以下となる条件に基づいて、２次元コードのシンボルの大きさを前記幅検出手段により検出された幅内に印字可能な最も記録容量の大きな種類に設定し、前記指定手段によって前記第２の対象物が指定された場合、テープ幅方向に対応する印字すべき２次元コードのシンボルの領域幅が前記有効印字幅以下で、且つそのシンボルの領域幅方向の両側のそれぞれに所定のマージンを加えた領域幅が前記有効印字幅を超え且つ前記印字用テープの幅以下となる条件に基づいて、２次元コードのシンボルの大きさを前記幅検出手段により検出された幅内に印字可能な最も記録容量の大きな種類に設定する２次元コード設定手段と、前記指定手段によって前記第１の対象物が指定された場合、その場合に対応する前記２次元コード設定手段の設定に従って所与の入力データに基づいて、テープ幅方向に前記マージンを付加しない２次元コードのシンボルのパターンデータを生成し、前記指定手段によって前記第２の対象物が指定された場合、その場合に対応する前記２次元コード設定手段の設定に従って所与の入力データに基づいて前記テープ幅方向に前記マージンを付加して２次元コードのシンボルのパターンデータを生成するデータ生成手段と、前記データ生成手段によって生成された前記パターンデータを前記印字用テープに印字する印字制御手段と、を備えたことを特徴とする。
【発明の効果】
【００１４】
請求項１の発明によれば、テープ印字した印字物を貼着する対象物として、２次元コードのシンボルの周囲のマージンのレベルと同等として認識されて読み取られるような第１の印字対象物がユーザによって指定されたときに、２次元コードのシンボル周囲に形成する所定幅のマージンを、印字用テープの幅方向にその所定幅分を確保することなくシンボルの印字を行うものであり、貼着対象物をマージンとして利用することで情報記録量の多い２次元コードのシンボルを印字用テープに印字することができる一方、対象物として第１の印字対象物よりも高濃度の第２の印字対象物が指定され、この第２の印字対象物を第１の印字対象物のようにマージンとして利用できない場合には、印字用テープのテープ幅方向に存在する印字ヘッドの有効印字幅を超える印字ができない領域内を利用して、２次元コードのシンボル周囲に形成するマージンを、そのテープ幅内の印字不可能な領域を有効に使って設定することができるため、印字ヘッドの有効印字幅に極力近い大きなサイズで情報記録量の多い２次元コードのシンボルを印字用テープに印字することができる。
【発明を実施するための最良の形態】
【００１７】
以下、本発明の実施形態について図面を参照して説明する。図１は本発明の実施形態に係る印字装置の外観を示す平面図、図２はその印字装置に使用するテープカセットの外観及び印字装置の内部構造の一部を示す斜視図である。図１及び図２に示すように、印字装置１は、装置本体２の上面にキー入力部３、表示部４、および開閉蓋５を備えている。開閉蓋５の内側には印字テープ３１及びインクリボン３５を収容したテープカセット２１を装填するためのカセット装填部６が形成されており、テープカセット２１は開閉蓋５を開放した状態でカセット装填部６に着脱可能に装填される。
【００１８】
キー入力部３は、印字する文字列のデータを入力する文字キー、印字開始を指示する印字キー、表示部４の表示画面上のカーソルを移動操作するカーソルキー、入力された文字列の編集処理、各種設定処理、印字処理等に必要な種々の制御キーを備えている。この制御キーには、２次元コードを印字する印字モードなどを設定する印字モードキーの他、かな漢字の変換キー、各種の選択や処理を決定する実行キー、処理を取り消す取消キーなどが含まれている。表示部４は液晶表示装置であり、入力されたデータや各種設定のための選択メニュー画面や処理に関するメッセージなどが表示されると共に、作成されるラベルの長さや印字テープの種類や印字モードの状態などの各種の情報を表示する。
【００１９】
カセット装填部６内には、印字素子が縦方向に配列され印字テープ３１に印字する印字ヘッド（サーマルヘッド）７と、サーマルヘッド７と対峙して設けられサーマルヘッド７との間で印字テープ３１及びインクリボン３５を挟んでこれを搬送するプラテンローラ８と、使用したインクリボン３５をテープカセット２１内に巻き取るリボン巻取軸９とを備え、更に、テープカセット２１を所定の位置に支持するためのカセット受部１０やテープカセット２１に嵌合して位置決めをする嵌合軸１１を備えている。また、カセット装填部６の底面の下方部には、プラテンローラ８及びリボン巻取軸９を駆動させるための搬送機構が設けられている。また、カセット装填部６の一端部には装置本体２外に通じるテープ排出口１２が形成されており、このテープ排出口１２には、固定刃１３ａと可動刃１３ｂとを備え、モータにより駆動されて印字された印字テープ３１を切断するためのカッタ１３が設けられている。また、カセット装填部６内のカセット受部１０にはテープカセット２１に保持された印字テープ３１の幅を検出するための複数個のテープ幅検出スイッチ１５が設けられている。
【００２０】
一方、テープカセット２１は、上ケース２２ａと下ケース２２ｂを組み合わせて構成したカセットケース２２を備え、このカセットケース２２の内部には、印字テープ３１を巻回したテープコア２３、未使用のインクリボン３５を巻回したリボン供給コア２４、印字に使用済のインクリボン３５を巻き取るリボン巻取コア２５がそれぞれ収納されている。前記印字テープ３１は、印字が行われる印字テープ層と貼着剤層と剥離テープ層の積層構造を有している。このテープカセット２１のカセットケース２２には、カセット装填部６内にテープカセット２１を装填したときにサーマルヘッド７が配置されるヘッド配置部２７が形成されており、また、カセットケース２２の隅部には、カセット装填部６のカセット受部１０に係合してそれに支持される突起部２９が形成されている。この突起部２９のうちの１つには、カセットケース２２内に収容した印字テープ３１の幅に対応した所定の形状を有する識別部が形成されている。この識別部はカセット装填部６のカセット受部１０に設けた前記複数個のテープ幅検出スイッチ１５を選択的に動作させるものであり、テープ幅検出スイッチ１５から得られる情報によりカセット装填部６に装填されたテープカセット２１に収容されている印字テープ３１の幅を判別できるようにしている。
【００２１】
この印字装置１に使用されるテープカセット２１には、例えば、１８ｍｍと２４ｍｍ幅の印字テープ３１を収容した２種類のものが用意されており、それらのテープカセット２１のうちの１つを選択し、それをカセット装填部６に装填してテープ印字を行う。テープカセット２１をカセット装填部６に装填して印字開始の指示をすると、印字テープ３１とインクリボン３５とがテープカセット２１から引き出され、重ね合わせた状態でプラテンローラ７とサーマルヘッド８の間に挟まれて共に搬送されると共に、サーマルヘッド８がキー入力部から入力された印字データに基づいて発熱駆動されてインクリボン３５のインクが印字テープ３１に熱転写されて印字が行われる。印字が終了すると、カッタ１３が駆動されて印字テープ３１の印字された部分がラベルに切り離される。
【００２２】
図４は印字装置の電子回路の構成を示すブロック図である。同図に示すように、この印字装置１の電子回路には、ＣＰＵからなる制御部５０が備えられ、制御部５０は、キー入力部３からのキー操作信号に応じてＲＯＭ５１に予め記憶されているシステムプログラムを起動させ、ＲＡＭ５２をワークメモリとして回路各部の動作を制御するもので、この制御部５０には、前記キー入力部３、ＲＯＭ５１、ＲＡＭ５２が接続される他、サーマルヘッド７を印字データに応じて発熱駆動する駆動回路５３、プラテンローラ８及びリボン巻取軸９を駆動するためのステップモータからなる搬送モータ５４の駆動回路５５、カッタ１３を駆動するためのカッタモータ５６の駆動回路５７が接続され、また入力された文字データなどを表示するための表示部４が接続される。また、制御部５０には、テープカセット２１の種別を検出するためのテープ幅検出スイッチ１５も接続される。ＲＯＭ５１には、キー入力部から入力されたデータを２次元コードのパターンデータに変換するプログラム、２次元コードや文字列のパターンデータを印字するためのプログラムの他、印字装置１の動作の制御に関するプログラムが記憶されている。また、ＲＡＭ５２には、キー入力された文字データを記憶する入力データメモリ、入力された文字データや作成された２次元コードのパターンデータに展開されて記憶される印字データメモリ、表示部４に表示されるパターンデータが記憶される表示データメモリの各領域が確保され、その他の処理に必要なデータを一時的に記憶するレジスタやカウンタが設けられている。  
この印字装置１では、サーマルヘッド８の印字素子がカセット装填部６に装填されたテープカセット２１の印字用テープ３１の幅方向に対応するべく垂直方向に配列されており、その印字素子列の幅は、例えば、２２ｍｍとなっている。そして、この印字装置１では、装置に装填される印字用テープ３１の幅に応じて最大限に駆動する印字素子の範囲を予め設定しており、テープ幅方向に印字が食み出さないように、テープ幅より幾分少ない長さを印字可能な有効印字幅として設定している。すなわち、１８ｍｍ幅の印字用テープ３１に対しては有効印字幅を１６ｍｍとし、２４ｍｍ幅の印字用テープに対しては有効印字幅を２２ｍｍとし、かつ印字用テープ３１の幅方向の中心に有効印字幅の中心を対応させている。従って、１８ｍｍと２４ｍｍの各印字用テープ３１では、その幅方向の両端部の各１ｍｍが印字されない領域となる。
【００２３】
また、この印字装置では、ＱＲコードの規格に従って作成した２次元コードのシンボルを印字する機能を備えている。以下、このＱＲコードの印字について説明する。図６は印字装置１により印字する第１の印字例であり、図７は第２の印字例である。また、図８は本発明の印字例と比較するための比較印字例である。これらの図中、Ｓは２次元コードのシンボルを表しており、ＢはそのシンボルＳの領域幅であり、ＣはシンボルＳの周囲に所定の幅で設定したマージンMを加えたシンボルＳの領域幅である。これらの領域幅Ｂ、Ｃはいずれも印字テープ３１の幅方向に対応している。また、Ｗは印字テープ３１の幅を表し、Ａはサーマルヘッド８の有効印字幅を表している。なお、シンボルＳは正方形であるため、印字テープ３１の長さ方向もそれぞれＢ、Ｃの長さを有している。
【００２４】
また、この印字装置1ではサーマルヘッド７の１個の印字素子の１ドット分のサイズが縦横０．１２５ｍｍ×０．１２５ｍｍとされており、２次元コードのシンボルＳの１セルは縦横３ドット×３ドットで形成されて、１個のセルサイズは縦横が０．３７５ｍｍ×０．３７５ｍｍとなっている。図５は、２次元コード（ＱＲコード）のバージョン（種類）と、２次元コードのシンボルＳの領域の縦横のセル数、２次元コードのシンボルＳにマージンＭを加えた領域の縦横のセル数と、２次元コードのシンボルＳの縦横サイズと、２次元コードのシンボルＳにマージンＭを加えた領域の縦横サイズとの関係を説明する図である。この２次元コードでは、バージョンが大きくなるとシンボルＳの領域幅が大きくなると共に、記録可能な容量も増大する。なお、シンボルＳの周囲に設定するマージンＭは４セル分以上となっている。
【００２５】
本発明では、図６又は図７の印字例に示す２次元コードシンボルのテープ印字を行うものであり、印字テープ３１のテープ幅内に記録容量のより大きな２次元コードのシンボルを印字可能にするものである。
【００２６】
以下、印字装置の印字動作について図５のフローチャートにしたがって説明する。まず、印字モードの設定画面が表示部４に表示され、操作者は印字モードの設定を行う（ステップＳ１）。この印字モード設定画面では、印字テープ３１に文字を印字する文字印字モードと、印字テープ３１に２次元コードを印字する２次元コード印字モードの入力設定が可能になっている。操作者による印字モードの入力設定があると、その設定された印字モードを判断する（ステップＳ２）。
【００２７】
２次元コード印字モードが設定された場合には、ステップＳ３以下の２次元モードの印字処理を行う。この印字処理では、まず貼着対象物の設定画面が表示され、それに基づいて操作者は貼着対象物を設定する（ステップＳ３）。ここで、この貼着対象物とは、テープ印字により作成されるラベルを貼着する物品を云うものであり、この場合は、第１の対象物と第２の対象物とが選択可能になっている。操作者がいずれかの対象物を選択すると、その選択された対象物の印字モードが設定される。この対象物について説明すると、第１の対象物はラベルを貼着する貼着面が第２の対象物のそれに比べてより低濃度であり、第２の対象物はラベルを貼着する貼着面が第１の対象物のそれに比べてより高濃度である。更に詳しくは、２次元コードのリーダーで読み取ったときに、第１の対象物は、暗セルと明セルとでマトリクス状の構成される２次元コードシンボルの明セルと同等レベルと判断される濃度のラベル貼着面を有し、第２の対象物は、暗セルと同等レベルと判断される濃度のラベル貼着面を有するものを云う。例えば、白色系が第１の対象物の代表例であり、黒色系が第２の対象物の代表例である。
【００２８】
次に、２次元コードに変換する文字の入力編集面画が表示部４に表示され、操作者はその画面上で２次元コードに変換したい変換対象の文字を入力する（ステップＳ４）。この文字入力が終了すると、操作者のキー入力部３のキー操作による印字開始の指示を待機し（ステップＳ５）、印字開始の指示があれば（ステップＳ５のＹＥＳ）、ステップＳ３で設定された貼着対象物を判断する（ステップＳ６）。設定された貼着対象物が前記第１の対象物であると判断すると、テープ幅検出スイッチ１５からカセット装填部６に装填されているテープカセット２１の印字用テープ３１のテープ幅情報を取得し（ステップＳ７）、テープ幅方向に対応する２次元コードのシンボルＳの領域幅Ｂがサーマルヘッド７の有効印字幅Ａ以下となる条件に基づいて、２次元コードのシンボルＳの大きさを検出されたテープ幅Ｗ内に印字可能な最も記録容量の大きなバージョン（種類）に設定する（ステップＳ８）。例えば、テープ幅検出スイッチ１５により印字テープ３１の幅が１８ｍｍ幅であることが検出されると、その１８ｍｍ幅の印字テープ３１に対して、サーマルヘッド７が有効印字幅１６ｍｍで印字が行われることになり、その場合には、図３を参照すると明らかなように、上記条件にしたがって、２次元コードのシンボルＳのバージョンとして、バージョン６が設定されることになる。また、テープ幅検出スイッチ１５により印字テープ３１の幅が２４ｍｍ幅であることが検出されると、その２４ｍｍ幅の印字テープ３１に対して、サーマルヘッド７が有効印字幅２２ｍｍで印字が行われることになり、その場合には、図３を参照すると明らかなように、上記条件にしたがって、２次元コードのシンボルＳのバージョンとして、バージョン１０が設定されることになる。
【００２９】
そして、この設定に基づいて、２次元コードのシンボルＳの周囲（テープ幅方向及びテープ長さ方向）にマージンＭを付加しない２次元コードのシンボルのパターンデータを生成し（ステップＳ９）、そのパターンデータに基づいてサーマルヘッド７を駆動して２次元コードのシンボルＳを印字テープ３１に印字する。最後にテープカットが行われる。図６がその印字例である（ステップＳ１０）。
【００３０】
また、ステップＳ６で設定した貼着対象物が第２の対象物であると判断すると、テープ幅検出スイッチ１５からカセット装填部６に装填されているテープカセット２１の印字用テープ３１のテープ幅情報を取得し（ステップＳ１１）、テープ幅方向に対応する２次元コードのシンボルＳの領域幅Ｂがサーマルヘッド７の有効印字幅Ａ以下で、且つそのシンボルＳの領域幅Ｂ方向の両側のそれぞれに所定のマージンＭを加えた領域幅Ｃがサーマルヘッド７の有効印字幅Ａを超え且つ印字用テープ３１の幅Ｗ以下となる条件に基づいて、２次元コードのシンボルＳの大きさを検出された印字用テープ３１の幅Ｗ内に印字可能な最も記録容量の大きなバージョン（種類）に設定する（ステップＳ１２）。例えば、テープ幅検出スイッチ１５により印字テープ３１の幅が１８ｍｍ幅であることが検出されると、その１８ｍｍ幅の印字テープ３１に対して、サーマルヘッド７が有効印字幅１６ｍｍで印字が行われることになり、その場合には、図３を参照すると明らかなように、上記条件にしたがって、２次元コードのシンボルＳのバージョンとして、バージョン５が設定されることになる。また、テープ幅検出スイッチ１５により印字テープ３１の幅が２４ｍｍ幅であることが検出されると、その２４ｍｍ幅の印字テープ３１に対して、サーマルヘッド７が有効印字幅２２ｍｍで印字が行われることになり、その場合には、図３を参照すると明らかなように、上記条件にしたがって、２次元コードのシンボルＳのバージョンとして、バージョン９が設定されることになる。
【００３１】
そして、この設定に基づいて、２次元コードのシンボルＳの周囲（テープ幅方向及びテープ長さ方向）にマージンＭを付加しない２次元コードのシンボルＳのパターンデータを生成し（ステップＳ１３）、そのパターンデータに基づいてサーマルヘッド８を駆動して２次元コードのシンボルＳを印字テープ３１に印字する。最後にテープカットが行われる。図７がその印字例である（ステップＳ１４）。なお、ステップＳ２で文字印字モードの設定を判断すると、印字テープ３１に対して文字の印字処理を行う（ステップＳ１５）。
【００３２】
図８は図１の印字例及び図２の印字例との比較印字例を示している。この図８の印字例では、サーマルヘッド８の有効印字幅Ａ内に収まるようにして、２次元コードのシンボルＳの周囲に所定のマージンＭを加えたパターンデータを生成し、そのパターンデータを印字テープ３１上に印字したものである。この場合には、設定される２次元コードのバージョンは、１８ｍｍ幅の印字テープ３１ではバージョン４が設定され、２４ｍｍ幅の印字テープ３１ではバージョン８が設定されることになる。
【００３３】
図８の印字例との比較から明らかなように、ステップＳ７ないしＳ１０の処理で図６の印字例の印字を行うことにより、１８ｍｍのテープ幅では比較例のバージョン４に対してバージョン６が設定され、２４ｍｍのテープ幅では比較例のバージョン８に対してバージョン１０が設定され、同じ幅の印字テープに対して、更に記録情報量の多い２次元コードのシンボルを印字することが可能になる。
【００３４】
また、図８の印字例との比較から明らかなように、ステップＳ１１ないしＳ１４の処理により図７の印字例の印字を行うことにより、１８ｍｍのテープ幅では比較例のバージョン４に対してバージョン５が設定され、２４ｍｍのテープ幅では比較例のバージョン８に対してバージョン９が設定され、同じ幅の印字テープに対して、より記録情報量の多い２次元コードのシンボルＳを印字することが可能になる。
【００３５】
このように、前記第１の印字例では、２次元コードのシンボルＳ周囲に形成する所定幅のマージンＭを、印字用テープ３１の幅Ｗ方向にその所定幅分を確保することなくシンボルＳの印字を行う印字モードを備えることにより、印字ヘッドの有効印字幅の最大限を２次元コードのシンボルの印字に有効に使用することができるため、テープ幅Ｗ方向に印字ヘッド３１の有効印字幅Ａのサイズに極力近づけて大きなサイズで情報記録量の多い２次元コードのシンボルＳを印字用テープに印字することができる。また、前記第２の印字例では、印字用テープ３１のテープ幅Ｗ方向に存在する印字ヘッド７の有効印字幅Ａを超える印字ができない領域内を利用して、２次元コードのシンボルＳ周囲に形成するマージンＭを、そのテープ幅内の印字不可能な領域を有効に使って設定することができるため、印字ヘッド７の有効印字幅Ａに極力近い大きなサイズで情報記録量の多い２次元コードのシンボルＳを印字用テープに印字することができる。
【００３６】
なお、ステップＳ３の貼着対象物の設定を行わずに、第２の印字例の印字のみを可能にしてもよい。その場合には、図４において、ステップＳ６ないしＳ１０の処理を省略し、ステップＳ５に続いてステップＳ１１以降の処理を行うようにする。
【図面の簡単な説明】
【００３７】
【図１】本発明の実施形態に係る印字装置を示す平面図。
【図２】その印字装置に装填されるテープカセットの外観斜視図及び印字装置の内部構造の一部を示す斜視図。
【図３】印字装置の電子回路の構成を示すブロック図。
【図４】本発明の印字装置の印字処理を示すフローチャート。
【図５】２次元コードシンボルの種類についてのサイズの説明図。
【図６】本発明による２次元コードの第１の印字例。
【図７】本発明による２次元コードの第２の印字例。
【図８】本発明の印字例との比較印字例。
【符号の説明】
【００３８】
１…印字装置
２…装置本体
３…キー入力部
４…表示部
５…開閉蓋
６…カセット装填部
７…サーマルヘッド（印字ヘッド）
８…プラテンローラ
１５…テープ幅検出スイッチ
２１…テープカセット
３１…印字用テープ
３５…インクリボン
Ａ…有効印字幅
Ｂ…シンボルの領域幅
Ｃ…マージンを含むシンボルの領域幅
Ｍ…マージン
Ｓ…２次元コードのシンボル
Ｗ…テープ幅
【図１】
0004586701.tif 000002
【図２】
0004586701.tif 000003
【図３】
0004586701.tif 000004
【図４】
0004586701.tif 000005
【図５】
0004586701.tif 000006
【図６】
0004586701.tif 000007
【図７】
0004586701.tif 000008
【図８】
0004586701.tif 000009